(57)【要約】【課題】外観上の見栄えが損なわれることを抑制しつつ、光色の調整作業に関する作業性の向上を図ること。【解決手段】照明器具１は、光源２と筐体４と第１ダイヤルＤ１と第２ダイヤルＤ２と制御部とを備える。第１ダイヤルＤ１は、光源２の光量の調整及び光色の調整のうちの一方に関する操作を受け付ける。第２ダイヤルＤ２は、光源２の光量の調整及び光色の調整のうちの他方に関する操作を受け付ける。制御部は、第１ダイヤルＤ１及び第２ダイヤルＤ２の操作位置に応じて、光源２の光量及び光色に関する制御を行う。第１ダイヤルＤ１及び第２ダイヤルＤ２の各々は、筐体４と同じ外径を有した円筒形状に形成されていて、かつ、筐体４の中心軸Ａ１に一致する中心軸を有する。【選択図】図１
2020053309.tif 000002
【特許請求の範囲】
【請求項１】
光源と、
少なくとも前記光源を収容する円筒形状の筐体と、
前記光源の光量の調整及び光色の調整のうちの一方に関する操作を受け付ける第１ダイヤルと、
前記光量の調整及び前記光色の調整のうちの他方に関する操作を受け付ける第２ダイヤルと、
前記第１ダイヤル及び前記第２ダイヤルの操作位置に応じて、前記光源の前記光量及び前記光色に関する制御を行う制御部と、
を備え、
前記筐体は、その中心軸の方向における第１端に、前記光源から発せられる光の出射口を有し、
前記第１ダイヤル及び前記第２ダイヤルは、前記筐体の前記第１端とは反対側の第２端において、前記筐体の前記中心軸に沿って並び、
前記第１ダイヤル及び前記第２ダイヤルの各々は、前記筐体と同じ外径を有した円筒形状に形成されていて、かつ、前記筐体の前記中心軸に一致する中心軸を有する、
照明器具。
【請求項２】
前記第２ダイヤルから回転力が伝達されるボリュームを更に備え、
前記第２ダイヤルの中心軸は、前記ボリュームと同軸上に配置される、
請求項１記載の照明器具。
【請求項３】
前記第１ダイヤルから回転力が伝達される調整ボリュームを更に備え、
前記第１ダイヤルの中心軸は、前記調整ボリュームの軸からずれて配置され、
前記第１ダイヤルは、その内周面に内歯車を有し、前記内歯車と噛み合う外歯車を通じて、回転力を前記調整ボリュームに伝達する、
請求項１又は２記載の照明器具。
【請求項４】
外部からの操作を受け付けるスイッチと、
前記スイッチの状態を監視し、当該状態に応じて、前記第１ダイヤル及び前記第２ダイヤルの各々の調整の対象が、前記光量から前記光色へ、又は前記光色から前記光量へ互いに入れ替わるように制御する制御回路と、
を、更に備える、
請求項１〜３のいずれか１項に記載の照明器具。
【請求項５】
前記第１ダイヤルから回転力が伝達される第１ボリュームと、
前記第２ダイヤルから回転力が伝達される第２ボリュームと、
前記第１ダイヤルを支持する第１受け金具と、
前記第２ダイヤルを支持する第２受け金具と、
前記第１ボリューム及び前記第２ボリュームが実装されるボリューム基板と、
を更に備え、
前記筐体の前記第２端において、前記ボリューム基板、前記第１受け金具、前記第１ダイヤル、前記第２受け金具、及び前記第２ダイヤルの順に、これらが配置されている、
請求項１〜４のいずれか１項に記載の照明器具。
【請求項６】
光源と、
少なくとも前記光源を収容する円筒形状の筐体と、
前記光源の光色の調整に関する操作を受け付けるダイヤルと、
前記ダイヤルの操作位置に応じて、前記光源の前記光色に関する制御を行う制御部と、を備え、
前記筐体は、その中心軸の方向における第１端に、前記光源から発せられる光の出射口を有し、
前記ダイヤルは、前記筐体の前記第１端とは反対側の第２端において、前記筐体の前記中心軸に沿って並び、
前記ダイヤルは、前記筐体と同じ外径を有した円筒形状に形成されていて、かつ、前記筐体の前記中心軸に一致する中心軸を有する、
照明器具。
【発明の詳細な説明】
【技術分野】
【０００１】
本開示は、一般に、照明器具に関し、より詳細には、光源の光色の調整が可能な照明器具に関するに関する。
【背景技術】
【０００２】
特許文献１には、照明光源用のコントローラが記載されている。このコントローラは、照明光源からの照明光の光量を調整するために用いられる調光用ダイヤルと、同照明光の色温度を調整するために用いられる調色用ダイヤルと、を備えている。調光用ダイヤル及び調色用ダイヤルは、それぞれ回動可能な円板状ノブにより構成され、かつ互いに積み重ねられて配置されている。また、このコントローラは、照明システムが設置される部屋の壁面に固定され、矩形の箱型形状とされるハウジングを有している。
【先行技術文献】
【特許文献】
【０００３】
【特許文献１】特開２０１３−２５４６６５号公報
【発明の概要】
【発明が解決しようとする課題】
【０００４】
ところで、特許文献１のコントローラは、照明光源（照明器具）と別体となって設置されるものである。そのため、照明器具の設置環境によっては、照明器具及びコントローラ間の距離が離れた状況になり得て、光色（色温度）を調整する調整作業を容易に行えない可能性がある。一方で、特許文献１の調色用ダイヤルを、単に照明器具の本体に取り付けると、照明器具の外観上の見栄えが悪くなる可能性がある。
【０００５】
本開示は上記事由に鑑みてなされ、外観上の見栄えが損なわれることを抑制しつつ、光色の調整作業に関する作業性の向上を図ることができる、照明器具を提供することを目的とする。
【課題を解決するための手段】
【０００６】
本開示の一態様に係る照明器具は、光源と、筐体と、第１ダイヤルと、第２ダイヤルと、制御部と、を備える。前記筐体は、少なくとも前記光源を収容する円筒形状である。前記第１ダイヤルは、前記光源の光量の調整及び光色の調整のうちの一方に関する操作を受け付ける。前記第２ダイヤルは、前記光量の調整及び前記光色の調整のうちの他方に関する操作を受け付ける。前記制御部は、前記第１ダイヤル及び前記第２ダイヤルの操作位置に応じて、前記光源の前記光量及び前記光色に関する制御を行う。前記筐体は、その中心軸の方向における第１端に、前記光源から発せられる光の出射口を有する。前記第１ダイヤル及び前記第２ダイヤルは、前記筐体の前記第１端とは反対側の第２端において、前記筐体の前記中心軸に沿って並ぶ。前記第１ダイヤル及び前記第２ダイヤルの各々は、前記筐体と同じ外径を有した円筒形状に形成されていて、かつ、前記筐体の前記中心軸に一致する中心軸を有する。
【０００７】
本開示の一態様に係る照明器具は、光源と、筐体と、ダイヤルと、制御部と、を備える。前記筐体は、少なくとも前記光源を収容する円筒形状である。前記ダイヤルは、前記光源の光色の調整に関する操作を受け付ける。前記制御部は、前記ダイヤルの操作位置に応じて、前記光源の前記光色に関する制御を行う。前記筐体は、その中心軸の方向における第１端に、前記光源から発せられる光の出射口を有する。前記ダイヤルは、前記筐体の前記第１端とは反対側の第２端において、前記筐体の前記中心軸に沿って並ぶ。前記ダイヤルは、前記筐体と同じ外径を有した円筒形状に形成されていて、かつ、前記筐体の前記中心軸に一致する中心軸を有する。
【発明の効果】
【０００８】
本開示によれば、外観上の見栄えが損なわれることを抑制しつつ、光色の調整作業に関する作業性の向上を図ることができる、という利点がある。
【図面の簡単な説明】
【０００９】
【図１】図１は、本開示の一実施形態に係る照明器具の後方から見た部分断面を含む斜視図である。
【図２】図２は、同上の照明器具が配線ダクトに取り付けられた状態における斜視図である。
【図３】図３は、同上の照明器具における模式的な回路ブロック図である。
【図４】図４は、同上の照明器具における要部の分解斜視図である。
【図５】図５は、同上の照明器具における第２ダイヤルの裏側から見た斜視図である。
【図６】図６Ａは、同上の照明器具における第１ダイヤル及び外歯車の斜視図である。図６Ｂは、同上の第１ダイヤル及び外歯車の平面図である。
【図７】図７は、同上の照明器具における第２受け金具の裏側から見た斜視図である。
【図８】図８は、同上の照明器具における要部の断面図である。
【図９】図９は、同上の照明器具の運搬時又は保管時の状態における平面図である。
【発明を実施するための形態】
【００１０】
（１）概要
以下の実施形態において説明する各図は、模式的な図であり、各図中の各構成要素の大きさや厚さそれぞれの比が、必ずしも実際の寸法比を反映しているとは限らない。
【００１１】
本実施形態の照明器具１は、一例として、図２に示すように配線ダクト１３に取り付けられるスポットライトとして構成されている。照明器具１は、図１に示すように、光源２と、筐体４と、第１ダイヤルＤ１と、第２ダイヤルＤ２と、制御部３４（図３参照）と、を備えている。
【００１２】
筐体４は、少なくとも光源２を収容する、円筒形状である。第１ダイヤルＤ１は、光源２の光量の調整（以下、「調光」と呼ぶこともある）及び光色の調整（以下、「調色」と呼ぶこともある）のうちの一方に関する操作を受け付ける。第２ダイヤルＤ２は、光源２の光量の調整（調光）及び光色の調整（調色）のうちの他方に関する操作を受け付ける。制御部３４は、第１ダイヤルＤ１及び第２ダイヤルＤ２の操作位置に応じて、光源２の光量及び光色に関する制御を行う。
【００１３】
以下、一例として、第１ダイヤルＤ１が調光に関する操作を、第２ダイヤルＤ２が調色に関する操作を、それぞれ受け付けるものとする。ただし、第１ダイヤルＤ１が調色に関する操作を、第２ダイヤルＤ２が調光に関する操作を、それぞれ受け付けるように構成されてもよい。
【００１４】
光源２の明るさ（光量）は、第１ダイヤルＤ１の回転角度（操作位置）に応じて変更され得る。また光源２の色温度（光色）は、第２ダイヤルＤ２の回転角度（操作位置）に応じて変更され得る。要するに、本実施形態の第１ダイヤルＤ１及び第２ダイヤルＤ２は、光源２の明るさ又は色温度を調整する作業者の操作を受け付ける操作部である。
【００１５】
筐体４は、その中心軸Ａ１の方向における第１端（図１では前端）に、光源２から発せられる光の出射口４１０を有している。第１ダイヤルＤ１及び第２ダイヤルＤ２は、筐体４の第１端とは反対側の第２端（図１では後端）において、筐体４の中心軸Ａ１に沿って並ぶ。
【００１６】
本実施形態において、第１ダイヤルＤ１及び第２ダイヤルＤ２の各々は、筐体４と同じ外径を有した円筒形状に形成されていて、かつ、筐体４の中心軸Ａ１に一致する中心軸を有する。ここで言う「同じ外径」とは、厳密に同じであることに限定されず、例えば人の目で見て、概ね同じであると見なせる程度であればよい。第１ダイヤルＤ１及び第２ダイヤルＤ２の各々の外径は、例えば、筐体４の外径と±数ミリの範囲内で差があってもよい。同様に、「中心軸Ａ１に一致する」とは、厳密に同じであることに限定されず、数ミリ程度にずれがあってもよい。
【００１７】
この構成によれば、照明器具１が光色の調整に関する操作を受け付けるダイヤル（Ｄ１又はＤ２）を備えている。また、各ダイヤルが筐体４と同じ外径を有した円筒形状に形成されていて、かつ、筐体４の中心軸Ａ１に一致する中心軸を有している。したがって、外観上の見栄えが損なわれることを抑制しつつ、光色の調整作業に関する作業性の向上を図ることができる。
【００１８】
なお、光量の調整に関する操作を受け付けるダイヤル（第１ダイヤルＤ１）は、本開示における照明器具１にとって必須の構成ではなく、光色の調整に関する操作を受け付けるダイヤル（第２ダイヤルＤ２）のみが設けられていてもよい。
【００１９】
（２）詳細
（２．１）全体構成
以下、本実施形態の照明器具１について、図１〜図９を参照して詳しく説明する。以下では、特に断りの無い限り、照明器具１の上下、左右、前後の方向を、図１に図示されている上下、左右、前後の矢印を用いて規定して説明する。これらの矢印は、単に説明を補助する目的で記載しているに過ぎず、実体を伴わない。また、上記の方向の規定は、本実施形態の照明器具１の使用形態を限定する趣旨ではない。
【００２０】
照明器具１は、上述した光源２、筐体４、第１ダイヤルＤ１、及び第２ダイヤルＤ２に加えて、点灯装置３（図３参照）を更に備えている。また照明器具１は、図４に示すように、第１ボリュームＶ１（調整ボリューム：可変抵抗器）と、第２ボリュームＶ２（ボリューム：可変抵抗器）と、第１受け金具Ｅ１と、第２受け金具Ｅ２と、ボリューム基板１００（図８参照）とを更に備えている。また照明器具１は、図１に示すように、光学レンズ８、反射部材９、グレア抑制用のバッフル１０、アーム１１、及び落下防止用のワイヤー１２、プラグ１４等を、更に備えている。照明器具１は、図２に示すように、一例として建物内の天井に設けられた配線ダクト１３に取り付けられるスポットライトとして構成されている。
【００２１】
（２．２）光源
光源２は、例えば、１又は複数（図３では１つ）の第１のＬＥＤ（Light Emitting Diode）２１と、１又は複数（図３では１つ）の第２のＬＥＤ２２とを有している。各ＬＥＤは、ＬＥＤチップが実装されている実装基板がアノード電極及びカソード電極とともに、扁平な直方体形状のパッケージに収容されて構成されている。また光源２は、例えば、各ＬＥＤ等から発せられる熱を伝導させる熱伝導シート、及び放熱部材等を有している。
【００２２】
第１のＬＥＤ２１と第２のＬＥＤ２２とは、発光色が互いに異なっている。第１のＬＥＤ２１は、例えば、色温度（又は相関色温度）が６５００［Ｋ（ケルビン）］の白色光を放射するＬＥＤパッケージで構成されている。また、第２のＬＥＤ２２は、例えば、色温度（又は相関色温度）が２７００［Ｋ］の電球色光を放射するＬＥＤパッケージで構成されている。以下、第１のＬＥＤ２１から放射される光の色温度を第１色温度と呼び、第２のＬＥＤ２２から放射される光の色温度を第２色温度と呼ぶこともある。第１色温度は６５００［Ｋ］に限定されず、同じく第２色温度は２７００［Ｋ］に限定されない。
【００２３】
光源２は、点灯装置３から出力される直流電圧がアノード電極とカソード電極に印加されることにより、照明光を放射する。
【００２４】
（２．３）筐体及び第１受け金具
筐体４は、図１及び図２に示すように、全体として長尺の円筒形状に形成されている。筐体４の中心軸Ａ１は、第１ダイヤルＤ１及び第２ダイヤルＤ２の中心軸と一致している。言い換えると、筐体４、第１ダイヤルＤ１及び第２ダイヤルＤ２は、互いの中心軸が一致するように組み付けられている。
【００２５】
筐体４は、その中心軸Ａ１の方向（前後方向）における第１端（前端）に出射口４１０を有している。筐体４の第１端とは反対側の第２端（後端）において、第１ダイヤルＤ１及び第２ダイヤルＤ２が、この順番で中心軸Ａ１に沿って並んでいる。具体的には、ボリューム基板１００、第１受け金具Ｅ１、第１ダイヤルＤ１、第２受け金具Ｅ２、及び第２ダイヤルＤ２の順に、これらが配置されている（図８参照）。
【００２６】
筐体４は、例えばアルミダイカストによってそれぞれ形成された円筒形状の２部材（光源収容部４１１及び電源収容部４１２）が軸方向に沿って互いに組み付けられることで構成されている。光源収容部４１１の内周面には、ねじ孔を有した複数のリブが形成されていて、電源収容部４１２の内周面には貫通孔を有した複数のリブが形成されている。光源収容部４１１の一部（後端部）が電源収容部４１２の開口から挿入された状態で、電源収容部４１２の貫通孔にねじを通し、更に、光源収容部４１１のねじ孔にねじ込むことで、光源収容部４１１及び電源収容部４１２が互いに連結されている。
【００２７】
光源収容部４１１は、その軸方向の一端（前端）が開放された有底円筒形状に形成されていて、軸方向において、電源収容部４１２の長さ寸法の約半分程度の寸法を有している。光源収容部４１１は、光源２を内部に収容し、開放された一端にある出射口４１０から光源２から発せられた光を出射する。具体的には、光源収容部４１１は、出射口４１０と対向した底部４１１Ａ（図１参照）の一表面において、光源２のホルダが嵌め込まれるための凹所を有している。ホルダは、ねじ止め等により底部４１１Ａに固定されている。
【００２８】
光源収容部４１１は、図１に示すように、光学レンズ８、反射部材９及びバッフル１０を収容している。光源収容部４１１内では、光源２から出射口４１０にわたって、反射部材９、光学レンズ８、バッフル１０が光軸Ｌ１に沿って順に配置されている。光軸Ｌ１は、中心軸Ａ１と一致している。光源収容部４１１の内周面には、反射部材９及びバッフル１０の外周面に設けられた突起が嵌まるための凹部が周方向に沿って形成されている。
【００２９】
電源収容部４１２は、その軸方向の両端が開放された円筒形状に形成されている。電源収容部４１２は、その軸方向における一端側（前端側）において、光源収容部４１１に連結され、軸方向における他端側（後端側）において、第１ダイヤルＤ１及び第２ダイヤルＤ２が回転可能に取り付けられている。
【００３０】
電源収容部４１２は、点灯装置３を内部に収容している。具体的には、電源収容部４１２は、図１に示すように、点灯装置３の種々の回路を構成する複数の電子部品３００が実装されて軸方向に細長く延びている略矩形板状の回路基板３０１と、回路基板３０１を保持する金属製の保持板３０２とを収容している。保持板３０２は、光源収容部４１１の底部４１１Ａにねじ止めにより固定されている。底部４１１Ａは、厚み方向に貫通している孔を有していて、点灯装置３の出力端に接続されている電線３０３は、図１に示すように、当該孔を通って光源２と電気的に接続されている。
【００３１】
電源収容部４１２は、図８に示すように、第１ボリュームＶ１及び第２ボリュームＶ２が一表面（後面）に実装されたボリューム基板１００を収容している。ボリューム基板１００は、絶縁シート等を間に介して保持板３０２にねじ止めされている。第１ボリュームＶ１及び第２ボリュームＶ２は、点灯装置３と電気的に接続されている（図３参照）。
【００３２】
また電源収容部４１２は、図４及び図８に示すように、第１受け金具Ｅ１を収容している。第１受け金具Ｅ１は、金属材により略円板状に形成されている。第１受け金具Ｅ１は、第１ダイヤルＤ１を支持する。第１受け金具Ｅ１は、中心軸Ａ１の方向において、ボリューム基板１００と第１ダイヤルＤ１との間に配置される。電源収容部４１２の内周面には、ねじ孔を有した２つのリブが設けられていて、第１受け金具Ｅ１は、当該２つのリブに対してそれぞれ２本のねじ１０２（図４参照）により固定されている。
【００３３】
第１受け金具Ｅ１は、図４に示すように、第２ボリュームＶ２の軸部Ｖ２０を挿通するための正方形状の窓孔１０３を中央に有している。また第１受け金具Ｅ１は、第１ボリュームＶ１の軸部Ｖ１０を挿通するための正方形状の窓孔１０４を有している。窓孔１０４は、中央からずれた位置にある。窓孔１０４は、窓孔１０３と第１受け金具Ｅ１の端縁（図４では下縁）との間にある。
【００３４】
第１受け金具Ｅ１は、その一部を、第１ダイヤルＤ１に近づく方向に切り起こすことで形成された一対のストッパー１０５を有している。各ストッパー１０５は、矩形板状に形成されている。一対のストッパー１０５は、第１ダイヤルＤ１の突起片Ｄ１０と接触することで、第１ダイヤルＤ１の回転可能な角度範囲を所定の範囲内（例えば２５０°の範囲内）に規制する。また、第１受け金具Ｅ１とボリューム基板１００との間には、絶縁シート１０６（図４参照）が配置されている。絶縁シート１０６は、その中央に円形状の貫通孔１０７を有している。また絶縁シート１０６は、中央の貫通孔１０７より下の位置に、円形状の貫通孔１０８を有している。
【００３５】
第１ボリュームＶ１の軸部Ｖ１０は、貫通孔１０８を通り、更に第１受け金具Ｅ１の窓孔１０４を通って第１ダイヤルＤ１に向かって突出している。第２ボリュームＶ２の軸部Ｖ２０は、貫通孔１０７を通り、更に第１受け金具Ｅ１の窓孔１０３を通って第１ダイヤルＤ１に向かって突出している。
【００３６】
電源収容部４１２は、図１及び図２に示すように、アーム１１の一対の支持部１１０Ａ，１１０Ｂの先端部分がそれぞれ取り付けられる一対の取付部４３を有している。各取付部４３は、電源収容部４１２の内部に繋がる貫通孔４３０（図１参照）を有している。一対の取付部４３は、電源収容部４１２の外周面４１２Ａにおいて、左右方向における両端の領域にそれぞれ配置されている。各取付部４３は、左右方向から見たときに、中心軸Ａ１に沿った方向（前後方向）における電源収容部４１２の略中央にある。また、各取付部４３は、左右方向から見たときに、中心軸Ａ１と左右方向とに直交する方向（上下方向）における電源収容部４１２の略中央にある。電源収容部４１２は、一対の取付部４３を介してアーム１１によって軸Ｌ２（図１参照）を回転軸として回転可能に支持されている。図１では、軸Ｌ２は、左右方向に平行である。
【００３７】
ここで、筐体４の外周面４Ａには、第１ダイヤルＤ１の操作の目安となる、すなわち光源２の調光レベル（明るさ）の目安値となる目盛り５が設けられている。目盛り５は、電源収容部４１２の外周面４１２Ａにおいて、周方向Ｈ１に沿って設けられている。目盛り５は、外周面４１２Ａにおける第１ダイヤルＤ１に隣接した領域に配置されている。
【００３８】
目盛り５は、印刷等の手段によって形成されている。あるいは、予め目盛り５が印刷されているシールが外周面４１２Ａに張り付けられてもよい。また、目盛り５は、外周面４１２Ａにエッチングにより凹凸を形成して凹部に塗料を流し込んで形成されてもよい。
【００３９】
目盛り５は、図２に示すように、「●ＯＦＦ」の黒塗りの丸印が表記されている位置（以下、単に「ＯＦＦ」と呼ぶ）を始点とし、「ＯＦＦ」から僅かに距離を空けて複数の目盛線が連続的に表記されている。目盛線には、光量の調整が可能な調光レベルの下限値５［％］から上限値１００［％］までの範囲において、１０［％］ごとに、目安値を示した数値（例えば「１」〜「１０」までの数値）が表記されている。
【００４０】
目盛り５は、図２に示すように、概ね鉛直下方向を向くことになる。そのため、光源２の明るさを調整する作業者は、照明器具１を下から見上げたときに、目盛り５を容易に視認することができる。
【００４１】
（２．４）第１ダイヤル
第１ダイヤルＤ１は、図１、図２、図６Ａ及び図６Ｂに示すように、その軸方向における両端面（前面及び後面）が開放された扁平な円筒形状に形成されている。第１ダイヤルＤ１は、第１受け金具Ｅ１と第２受け金具Ｅ２との間で安定的に配置されている。第１ダイヤルＤ１は、上述の通り、光源２の調光及び調色のうち、一例として調光に関する操作を受け付ける部位である。
【００４２】
第１ダイヤルＤ１の外径は、筐体４の外径と実質的に等しく設定されている。また、第１ダイヤルＤ１は、一例としてその軸方向における寸法が筐体４の軸方向における寸法に比べて十分に小さく設定されている。
【００４３】
第１ダイヤルＤ１は、例えばＰＢＴ（Polybutylene terephthalate）樹脂により形成されている。第１ダイヤルＤ１は、筐体４の中心軸Ａ１を回転軸として筐体４に対して回転可能となっている。
【００４４】
第１ダイヤルＤ１は、図２に示すように、その外周面Ｄ１１に、指示線Ｄ１２を有している。指示線Ｄ１２は、例えば、細長い溝を設けてその溝内に塗料を流し込んで形成されている。
【００４５】
第１ダイヤルＤ１は、その前側の周縁部において、径方向の内側に突出し、かつ第１受け金具Ｅ１に近づく方向に突出した、突起片Ｄ１０を有している。突起片Ｄ１０は、上述の通り、第１受け金具Ｅ１の一対のストッパー１０５間に配置され、第１ダイヤルＤ１の回転可能な角度範囲を規制する。言い換えると、指示線Ｄ１２が目盛り５の「ＯＦＦ」と対向する位置にあるときに、突起片Ｄ１０が一方のストッパー１０５と接触するように位置関係が規定されている。また、指示線Ｄ１２が目盛り５の上限の数値「１０」が記された目盛線と対向する位置にあるときに、突起片Ｄ１０が他方のストッパー１０５と接触するように位置関係が規定されている。
【００４６】
また第１ダイヤルＤ１は、その後側の周縁部において、４つのガイド片Ｄ１３を有している。各ガイド片Ｄ１３は、第２ダイヤルＤ２に近づく方向に突出し、かつ、中心軸Ａ１の方向から見て僅かに弧状に湾曲している。各ガイド片Ｄ１３の先端は、径方向における外側に向かって僅かに突出する（図８参照）。４つのガイド片Ｄ１３は、第１ダイヤルＤ１の周方向において、概ね等間隔に配置されている。
【００４７】
これらのガイド片Ｄ１３は、第２受け金具Ｅ２のガイド溝２０２（図７及び図８参照）内に挿入され、かつガイド溝２０２内で第１ダイヤルＤ１の周方向に沿ってスライド可能である。その結果、第１ダイヤルＤ１は、径方向に対する位置ずれが抑制されつつ、第１受け金具Ｅ１及び第２受け金具Ｅ２間で、安定的に回転可能である。
【００４８】
本実施形態の第１ダイヤルＤ１は、図６Ａ及び図６Ｂに示すように、その内周面に、内歯車Ｇ１を有している。また照明器具１は、内歯車Ｇ１と噛み合う外歯車Ｇ２を更に備えている。内歯車Ｇ１と外歯車Ｇ２との歯数比（ギア比）は特に限定されないが、図６Ｂでは、一例として、内歯車Ｇ１の歯数は２４個で、外歯車Ｇ２の歯数は８個である。外歯車Ｇ２の中心の孔部Ｇ２０に、第１ボリュームＶ１の軸部Ｖ１０が圧入されている。したがって、明るさの調整を行う作業者が第１ダイヤルＤ１の外周面Ｄ１１に指先等を当てて第１ダイヤルＤ１を回転操作することで、内歯車Ｇ１と噛み合う外歯車Ｇ２を通じて、第１ダイヤルＤ１から回転力が第１ボリュームＶ１に伝達される。
【００４９】
軸部Ｖ１０は、Ｄ字状にカットされて、中心軸Ａ１の方向から見た軸部Ｖ１０の断面は、Ｄ字形状を有している。また外歯車Ｇ２の孔部Ｇ２０も、Ｄ字形状の軸部Ｖ１０に合わせて、Ｄ字形状に開口している。したがって、第１ボリュームＶ１に対する外歯車Ｇ２の空回りが抑制される。
【００５０】
第１ダイヤルＤ１の中心軸は、第１ボリュームＶ１の軸部Ｖ１０の軸（axis）からずれて配置されている。言い換えると、第１ボリュームＶ１は、ボリューム基板１００の中央に配置される第２ボリュームＶ２を避けるように、脇に配置されているため、第１ボリュームＶ１の軸は、中心軸Ａ１と一致する第１ダイヤルＤ１の中心軸に対してずれている。これに対して、上述の通り内歯車Ｇ１と外歯車Ｇ２とが設けられていることで、第１ボリュームＶ１の位置について設計の自由度を高めることができる。
【００５１】
（２．５）第２受け金具
第２受け金具Ｅ２は、第２ダイヤルＤ２を支持する。第２受け金具Ｅ２は、図４に示すように、例えば金属材により略カップ状に形成されている。第２受け金具Ｅ２は、本体部Ｅ２０と、台座Ｅ２１とを有している。
【００５２】
本体部Ｅ２０は、図７に示すように、皿状部２００と筒状部２０１とを有している。皿状部２００は、前後方向における略中央に底板を有した扁平な円筒形状の部位である。筒状部２０１は、皿状部２００の前面中央から前方に突出している円筒形状の部位である。皿状部２００と筒状部２０１とは、繋ぎ目のなく互いに一体となって形成されているが、特に限定されない。例えば、別体となった皿状部２００及び筒状部２０１が接着、溶着、ねじ、かしめ等により固定されてもよい。
【００５３】
皿状部２００は、図７及び図８に示すように、その周壁における、底板より前側の内周面にガイド溝２０２を有している。ガイド溝２０２は、内周面の全周囲にわたって形成されている。ガイド溝２０２には、第１ダイヤルＤ１の４つのガイド片Ｄ１３が挿入されて係合され得る。つまり、第１ダイヤルＤ１は、４つのガイド片Ｄ１３がガイド溝２０２に係合することで、第２受け金具Ｅ２からの脱離が抑制され、かつ中心軸Ａ１を回転軸として回転可能である。
【００５４】
また皿状部２００は、図４及び図８に示すように、その周壁における、底板より後側の内周面に係合溝２０３を有している。係合溝２０３は、内周面の全周囲にわたって形成されている。係合溝２０３には、第２ダイヤルＤ２の４つの係合爪Ｄ２３が挿入されて係合され得る。つまり、第２ダイヤルＤ２は、４つの係合爪Ｄ２３が係合溝２０３に係合することで、第２受け金具Ｅ２からの脱離が抑制され、かつ中心軸Ａ１を回転軸として回転可能である。
【００５５】
皿状部２００は、図４に示すように、その底板の一部を、第２ダイヤルＤ２に近づく方向に切り起こすことで形成された一対のストッパー２０４を有している。各ストッパー２０４は、矩形板状に形成されている。一対のストッパー２０４は、第２ダイヤルＤ２の突起片Ｄ２２と接触することで、第２ダイヤルＤ２の回転可能な角度範囲を所定の範囲内（例えば２５０°の範囲内）に規制する。
【００５６】
筒状部２０１は、中心軸Ａ１の方向に沿って貫通した貫通孔を有し、皿状部２００の中央にある孔部２０５（図４参照）と空間的に繋がっている。孔部２０５及び筒状部２０１の貫通孔は、第２ダイヤルＤ２の延長部Ｄ２１が挿入れて、かつ第２ダイヤルＤ２が回転可能な程度の内径を有している。
【００５７】
皿状部２００は、その周壁の外周面に、第２ダイヤルＤ２の操作の目安となる、すなわち光源２の色温度の目安値となる目盛り６が設けられている。この目盛り６のある皿状部２００の外周面は、第１ダイヤルＤ１、第２受け金具Ｅ２及び第２ダイヤルＤ２が組み付けられた状態にあるとき、外部に露出する面になる（図１参照）。この状態にあるとき、第１ダイヤルＤ１、第２受け金具Ｅ２及び第２ダイヤルＤ２の外周面は、互いに概ね面一となる。
【００５８】
目盛り６は、皿状部２００の外周面の周方向に沿って配置されている。目盛り６は、上述した目盛り５と同様に、印刷等の手段によって形成されている。目盛り６は、「ＯＦＦ」から僅かに距離を空けて複数の目盛線が連続的に表記されている。目盛線には、光色の調整が可能な下限値２７００［Ｋ］（第２色温度）から上限値６５００［Ｋ］（第１色温度）までの範囲において、目安値を示した数値（例えば色温度レベル「１」〜「１０」までの数値）が表記されている。例えば、色温度レベル「１０」のとき上限値の第１色温度に設定され、色温度レベル「１」のとき下限値の第２色温度に設定される。
【００５９】
目盛り６は、目盛り５と同様に、図２に示すように、概ね鉛直下方向を向くことになる。そのため、光源２の光色を調整する作業者は、照明器具１を下から見上げたときに、目盛り６を容易に視認することができる。
【００６０】
台座Ｅ２１は、中心軸Ａ１の方向に貫通する中心孔を有した筒状体である。より詳細には、台座Ｅ２１は、図７に示すように、ドーナツ状の部位（板部２０６）と、板部２０６の中央から後方に突出している中空の筒状の部位（筒体２０８）とから構成されている。板部２０６は、２本のねじ１７（図４参照）が通る２つの貫通孔２０７を有している。２つの貫通孔２０７に通された２本のねじ１７を、第１受け金具Ｅ１に設けられた２つのねじ孔１８に、それぞれねじ込むことで、台座Ｅ２１が第１受け金具Ｅ１に固定される。このとき、台座Ｅ２１は、第２ボリュームＶ２の軸部Ｖ２０を覆うように配置される。
【００６１】
照明器具１の組み立ての際には、先に台座Ｅ２１を、第１受け金具Ｅ１にねじ止めすることが望ましい。その後に、第１ダイヤルＤ１の４つのガイド片Ｄ１３を、本体部Ｅ２０のガイド溝２０２に嵌めた状態で、本体部Ｅ２０の筒状部２０１を、台座Ｅ２１の筒体２０８内に圧入することが望ましい。その結果、第２受け金具Ｅ２は、第１受け金具Ｅ１に固定され、第１ダイヤルＤ１は、第１受け金具Ｅ１と第２受け金具Ｅ２との間で、回転可能に支持されることになる。
【００６２】
（２．６）第２ダイヤル
第２ダイヤルＤ２は、図５に示すように、その軸方向における両端面（前面及び後面）のうち前面が開放された、扁平な円筒形状に形成されている。第２ダイヤルＤ２は、第２受け金具Ｅ２に対して回転可能に支持される。第２ダイヤルＤ２は、上述の通り、光源２の調光及び調色のうち、一例として調色に関する操作を受け付ける部位である。また第２ダイヤルＤ２は、その後側に底板を有しており、照明器具１を全体として見たときに、筐体４の後ろ側を塞ぐ蓋にも相当する。
【００６３】
第２ダイヤルＤ２の外径は、筐体４の外径と実質的に等しく設定されている。また第２ダイヤルＤ２は、一例としてその軸方向における寸法が筐体４の軸方向における寸法に比べて十分に小さく設定されている。図１の例では、第２ダイヤルＤ２の軸方向における寸法は、第１ダイヤルＤ１の軸方向における寸法よりも小さい。第２受け金具Ｅ２の軸方向における寸法は、第１ダイヤルＤ１の軸方向における寸法と概ね同じである。
【００６４】
第２ダイヤルＤ２は、例えばＰＢＴ樹脂により形成されている。第２ダイヤルＤ２は、筐体４の中心軸Ａ１を回転軸として筐体４に対して回転可能となっている。
【００６５】
第２ダイヤルＤ２は、図２に示すように、その外周面Ｄ２４に、指示線Ｄ２５を有している。指示線Ｄ２５は、例えば、細長い溝を設けてその溝内に塗料を流し込んで形成されている。
【００６６】
第２ダイヤルＤ２は、その前面の中央において、第２ボリュームＶ２に近づく向きに突出する延長部Ｄ２１（図５参照）を有している。延長部Ｄ２１は、その先端に、後方に向かって窪んだ穴部Ｄ２１０を有している。穴部Ｄ２１０は、第２ボリュームＶ２の軸部Ｖ２０を受け入れる穴である。
【００６７】
延長部Ｄ２１は、第２受け金具Ｅ２における皿状部２００の孔部２０５からに挿入されて、対向する第２ボリュームＶ２の軸部Ｖ２０が穴部Ｄ２１０内に圧入される。したがって、光色の調整を行う作業者が第２ダイヤルＤ２の外周面Ｄ２４に指先等を当てて第２ダイヤルＤ２を回転操作することで、延長部Ｄ２１を通じて、第２ダイヤルＤ２から回転力が第２ボリュームＶ２に伝達される。
【００６８】
軸部Ｖ２０は、Ｄ字状にカットされて、中心軸Ａ１の方向から見た軸部Ｖ２０の断面は、Ｄ字形状を有している。また穴部Ｄ２１０も、Ｄ字形状の軸部Ｖ２０に合わせて、Ｄ字形状に開口している。この場合、第２ボリュームＶ２に対する延長部Ｄ２１の空回りが抑制される。
【００６９】
第２ダイヤルＤ２は、その裏面（前面）において、第２受け金具Ｅ２に近づく方向に突出する突起片Ｄ２２（図５参照）を有している。突起片Ｄ２２は、上述の通り、第２受け金具Ｅ２の一対のストッパー２０４間に配置され、第２ダイヤルＤ２の回転可能な角度範囲を規制する。言い換えると、指示線Ｄ２５が目盛り６の「ＯＦＦ」と対向する位置にあるときに、突起片Ｄ２２が一方のストッパー２０４と接触するように位置関係が規定されている。また、指示線Ｄ２５が目盛り６の色温度レベル「１０」が記された目盛線と対向する位置にあるときに、突起片Ｄ２２が他方のストッパー２０４と接触するように位置関係が規定されている。
【００７０】
また第２ダイヤルＤ２は、図５及び図８に示すように、その前側の周縁部において、４つの係合爪Ｄ２３を有している。各係合爪Ｄ２３は、第２受け金具Ｅ２に近づく方向に突出し、さらにその先端が、第２ダイヤルＤ２の径方向に沿って軸から離れる向きに突出している。要するに、各係合爪Ｄ２３は、全体として鉤状になっている。各係合爪Ｄ２３は、中心軸Ａ１の方向から見て僅かに弧状に湾曲している。４つの係合爪Ｄ２３は、第２ダイヤルＤ２の周方向において、概ね等間隔に配置されている。
【００７１】
これらの係合爪Ｄ２３は、第２受け金具Ｅ２の係合溝２０３内に挿入され、かつ係合溝２０３内で周方向に沿ってスライド可能である。その結果、第２ダイヤルＤ２は、径方向に対する位置ずれが抑制されつつ、第２受け金具Ｅ２に対して安定的に回転可能である。
【００７２】
第２ダイヤルＤ２の中心軸は、第２ボリュームＶ２の軸部Ｖ２０の軸（axis）と同軸上に配置される。したがって、例えば、第２ダイヤルＤ２の中心軸が第２ボリュームＶ２の軸からずれて配置される場合に比べて、構成の簡素化を図ることができる。
【００７３】
第２ダイヤルＤ２は、図５に示すように、その裏面（前面）に、延長部Ｄ２１を補強する補強リブＤ２６を有している。補強リブＤ２６は、円環状に前方に向かって突出している。突起片Ｄ２２は、補強リブＤ２６よりも外側に位置する。
【００７４】
このように４つの係合爪Ｄ２３が係合溝２０３にスライド移動可能に嵌め込まれていることで、中心軸Ａ１を回転軸として、筐体４に対して第２ダイヤルＤ２を滑らかに回転させることができ、第２ダイヤルＤ２に対する操作性の向上を図ることができる。また４つの係合爪Ｄ２３が等間隔に設けられているため、係合爪Ｄ２３の数が例えば１つ又は２つの場合に比べて、第２ダイヤルＤ２のより安定した回転操作を提供することができる。また第２受け金具Ｅ２に対する第２ダイヤルＤ２の脱落をより低減することができる。
【００７５】
第２受け金具Ｅ２に対する第２ダイヤルＤ２の組み立てに関しては、第２ボリュームＶ２の軸部Ｖ２０を延長部Ｄ２１の穴部Ｄ２１０に合わせつつ、４つの係合爪Ｄ２３をそれぞれ中心軸Ａ１に向かって弾性変形させて第２受け金具Ｅ２内へ挿入すればよい。軸部Ｖ２０が穴部Ｄ２１０に挿入され、かつ、弾性変形した４つの係合爪Ｄ２３が係合溝２０３に到達することで弾性復帰して係合溝２０３内に入り込む。その結果、第２ダイヤルＤ２が第２受け金具Ｅ２に取り付けられる。
【００７６】
（２．７）光学レンズ、反射部材及びバッフル
光学レンズ８は、出射口４１０付近において、光源２の配光を制御するように構成されている。光学レンズ８は、透光性を有し、図１に示すように略円板状に形成されている。光学レンズ８には、光源２からの直接光、及び反射部材９からの反射光が入射される。光学レンズ８の軸方向は、光軸Ｌ１と平行である。光学レンズ８は、例えば、アクリル樹脂、ポリカーボネート樹脂等の透明樹脂材料、又はガラス等の透明材料によって形成されている。光学レンズ８は、図１に示すように、一例としてフレネルレンズである。光学レンズ８は、反射部材９からの光を集光して効率良く出射する。
【００７７】
反射部材９は、図１に示すように、光源２から放射された光を、光学レンズ８に向けて反射させるように構成されている。反射部材９は、例えばＰＢＴ樹脂等の硬質の白色樹脂材料から形成されている。反射部材９の内側面には、アルミニウム等の金属膜が設けられてもよい。
【００７８】
反射部材９は、その軸方向における両端が開口した略円筒形状に形成されている。反射部材９の軸方向は、光軸Ｌ１と平行である。反射部材９は、光源２から放射された光が入射する第１端部（後端部）と、光学レンズ８に向かって光が出射する第２端部（前端部）と、を有している。光学レンズ８は、反射部材９の第２端部の周縁において第２端部を覆うように取り付けられている。
【００７９】
反射部材９は、第１端部から第２端部に向かって内径が漸次大きくなるように形成されている。要するに、第２端部の内径は、第１端部の内径よりも大きい。反射部材９は、上述のような構造を有することで、光源２から放射された光を光学レンズ８に向けて効率良く反射する。
【００８０】
バッフル１０は、図１に示すように、両端が開口した略円筒形状に形成されている。バッフル１０の軸方向は、光軸Ｌ１と平行である。バッフル１０は、例えば、ポリカーボネート又はＰＢＴ等の樹脂材料によって形成されている。バッフル１０の内側面（光軸Ｌ１側の面）は、黒色のグレア抑制面として形成されている。グレア抑制面は、例えば、バッフル１０の内側面を黒色に塗装して艶消し処理を施すことにより実現される。あるいは、グレア抑制面は、黒色に塗装した面、又は、黒色の部材からなる面に、シボ加工を施すことによって実現されてもよい。本実施形態のバッフル１０は、図１に示すように、その内側面に、グレアをさらに抑制するための複数の段部を有している。
【００８１】
（２．８）点灯装置
点灯装置３は、図３に示すように、例えば、入力フィルタ回路３０、整流回路３１、ＰＦＣ（Power Factor Correction）回路３２、電源回路３３、制御部３４、及び調光回路３５等を有している。
【００８２】
入力フィルタ回路３０は、その入力端が交流電源ＡＣ１（例えば商用電源）に電気的に接続されており、交流電源ＡＣ１から入力される交流電力から、ノイズ等の不要な周波数成分を除去する。
【００８３】
整流回路３１は、例えばダイオードブリッジで構成されている。整流回路３１の入力端に、入力フィルタ回路３０が電気的に接続されている。整流回路３１は、その入力端に入力される交流電圧を全波整流し、整流後の脈流電圧を出力端から出力する。
【００８４】
ＰＦＣ回路３２は、例えば昇降圧チョッパとも呼ばれるバックブーストコンバータであって、整流回路３１の出力端間から出力される入力電圧を昇圧（又は降圧）して所望の電圧に変換して力率を改善するように構成されている。ＰＦＣ回路３２は、スイッチング素子、インダクタ、ダイオード及び平滑コンデンサ等を有している。
【００８５】
電源回路３３は、その入力端がＰＦＣ回路３２の出力端に電気的に接続されている。電源回路３３は、第１スイッチング回路（以下、単に「第１回路」と呼ぶ）３３１と第２スイッチング回路（以下、単に「第２回路」と呼ぶ）３３２とを有している。第１回路３３１は、白色光を放射する第１のＬＥＤ２１に電気的に接続されている。第２回路３３２は、電球色光を放射する第２のＬＥＤ２２に電気的に接続されている。
【００８６】
第１回路３３１及び第２回路３３２の各々は、スイッチング素子を有している。第１回路３３１及び第２回路３３２の各々は、制御部３４から受け取る駆動信号の制御値に応じたデューティ比でスイッチング素子をオン・オフ駆動し、制御値が大きいほど、対応するＬＥＤに流れる負荷電流を増加させる。つまり、指定された調光レベルが高いほど、ＬＥＤに流れる負荷電流が大きくなる。これにより、第１のＬＥＤ２１及び第２のＬＥＤ２２に流れる負荷電流は、所定電流へと調整され、第１のＬＥＤ２１及び第２のＬＥＤ２２は、指定された調光レベルとなる。
【００８７】
制御部３４は、例えば、ＣＰＵ（Central Processing Unit）及びメモリを主構成とするマイクロコントローラを有している。そして、ＣＰＵがメモリに格納されているプログラムを実行することにより、マイクロコントローラが制御部３４として機能する。ＣＰＵが実行するプログラムは、ここではマイクロコントローラのメモリに予め記録されているが、メモリカード等の記録媒体に記録されて提供されてもよいし、インターネット等の電気通信回線を通じて提供されてもよい。
【００８８】
制御部３４は、調光回路３５から受け取る指示信号に基づき、電源回路３３をＰＷＭ（Pulse Width Modulation）制御するように構成されている。すなわち、制御部３４は、第１回路３３１及び第２回路３３２のスイッチング素子を間欠動作させ、かつ、間欠動作の周期に対する動作期間（オン期間）のデューティ比を１００％から５％の範囲で増減させる。制御部３４は、目標値に一致させるように駆動信号の制御値を調整して、駆動信号を第１回路３３１と第２回路３３２とに出力する。
【００８９】
制御部３４は、ＰＦＣ回路３２も制御することが好ましい。制御部３４は、調光回路３５から消灯状態にするための指示信号を受け取ると、ＰＦＣ回路３２のスイッチング素子を駆動させない（オフ状態に維持する）。ＰＦＣ回路３２のスイッチング素子が駆動されなければ、ＰＦＣ回路３２の平滑コンデンサの充電電荷が放電されるにつれてＰＦＣ回路３２の出力電圧が低下する。その結果、第１のＬＥＤ２１と第２のＬＥＤ２２とが消灯する。
【００９０】
ここで、点灯装置３は、第１ダイヤルＤ１の回転角度（回転位置）に応じて光源２の調光レベルを変更するように構成されている。また点灯装置３は、第２ダイヤルＤ２の回転角度（回転位置）に応じて光源２の色温度を変更するように構成されている。第１ダイヤルＤ１の回転角度は、指示線Ｄ１２が目盛り５の「ＯＦＦ」の位置にあるときを基準とした角度である。第２ダイヤルＤ２の回転角度は、指示線Ｄ２５が目盛り６の「ＯＦＦ」の位置にあるときを基準とした角度である。
【００９１】
調光回路３５は、第１ボリュームＶ１及び第２ボリュームＶ２と電気的に接続されている。調光回路３５は、第１ボリュームＶ１の抵抗値に対応した電圧信号を受け取るための第１入力端子を有している。また調光回路３５は、第２ボリュームＶ２の抵抗値に対応した電圧信号を受け取るための第２入力端子を有している。
【００９２】
具体的には、第１ボリュームＶ１（可変抵抗器）及び固定抵抗器（不図示）から構成された直列回路の両端には定電圧が印加されていて、調光回路３５は、その第１入力端子において、第１ボリュームＶ１で分圧された第１電圧を受け取る。同様に、第２ボリュームＶ２（可変抵抗器）及び固定抵抗器（不図示）から構成された直列回路の両端には定電圧が印加されていて、調光回路３５は、その第２入力端子において、第２ボリュームＶ２で分圧された第２電圧を受け取る。調光回路３５は、第１電圧及び第２電圧の電圧値を、上述した指示信号として、制御部３４に送出する。
【００９３】
制御部３４は、第１電圧の電圧値と第２電圧の電圧値との組み合せに対応する、第１回路３３１の出力と第２回路３３２の出力の組み合せに関するデータを、メモリ内に記憶している。
【００９４】
ここで照明器具１では、上述の通り、第１のＬＥＤ２１の光色（以下、「第１光色」と呼ぶ）は白色で、第２のＬＥＤ２２の光色（以下、「第２光色」と呼ぶ）は電球色である。したがって、制御部３４が第１のＬＥＤ２１の光量（調光レベル）と第２のＬＥＤ２２の光量（調光レベル）との割合を変化させることにより、照明光の光色を、第１光色と第２光色の間で調整（調色）することができる。つまり、第２のＬＥＤ２２の光量に対する第１のＬＥＤ２１の光量の割合が高くなるほど、光色が第１光色に近く（色温度が高く）なる。一方、第１のＬＥＤ２１の光量に対する第２のＬＥＤ２２の光量の割合が高くなるほど、光色が第２光色に近く（色温度が低く）なる。
【００９５】
第１のＬＥＤ２１の光量がゼロよりも高く、かつ、第２のＬＥＤ２２の光量がゼロの場合は、照明光の光色が第１光色に等しくなる。これは、例えば第２ダイヤルＤ２の目盛線が、色温度レベル「１０」にあるときに相当する。
【００９６】
一方、第１のＬＥＤ２１の光量がゼロで、かつ、第２のＬＥＤ２２の光量がゼロよりも高い場合は、照明光の光色が第２光色に等しくなる。これは、例えば第２ダイヤルＤ２の目盛線が、色温度レベル「１」にあるときに相当する。
【００９７】
なお、作業者は、第１ダイヤルＤ１及び第２ダイヤルＤ２のいずれを操作しても、光源２の点灯状態のオン・オフを実行可能である。
【００９８】
ところで、本実施形態の照明器具１は、外部からの操作を受け付けるスイッチＳＷ１（図３参照）と、制御回路と、を更に備えてもよい。制御回路は、スイッチＳＷ１の状態を監視し、当該状態に応じて、第１ダイヤルＤ１及び第２ダイヤルＤ２の各々の調整の対象が、光量から光色へ、又は光色から光量へ互いに入れ替わるように制御する。本実施形態では、制御部３４が、上記制御回路の機能を有している。ただし、制御部３４とは別に上記制御回路が設けられてもよい。スイッチＳＷ１は、この入れ替えに関する設定を受け付ける。スイッチＳＷ１は、押し釦スイッチ、又はディップスイッチ等でもよい。スイッチＳＷ１は、筐体４に設けられた孔から露出するように筐体４内の回路基板等に実装されてもよい。ドライバ等の工具の先端をその孔に入れて、スイッチＳＷ１を操作することで、上記入れ替えの設定が受け付けられてもよい。
【００９９】
スイッチＳＷ１は、例えば制御部３４に電気的に接続されている。制御部３４は、スイッチＳＷ１のオン状態、オフ状態を監視し、オン状態であれば、調光回路３５から受け取った第１ボリュームＶ１に対応する第１電圧の電圧値と、第２ボリュームＶ２に対応する第２電圧の電圧値とを、入れ替える。
【０１００】
具体的には、スイッチＳＷ１がオフ状態であれば、制御部３４は、第１電圧の電圧値を用いて調光レベルを決定し、第２電圧の電圧値を用いて対応する色温度を決定する。つまり、第１ダイヤルＤ１の調整対象は、光量で、第２ダイヤルＤ２の調整対象は、光色である。一方、スイッチＳＷ１がオン状態であれば、制御部３４は、第１電圧の電圧値を用いて対応する色温度レベルを決定し、第２電圧の電圧値を用いて調光レベルを決定する。つまり、第１ダイヤルＤ１の調整対象は、光色に変わり、第２ダイヤルＤ２の調整対象は、光量に変わる。
【０１０１】
このようにスイッチＳＷ１が設けられていることで、照明器具１の設置環境又はユーザの要望等に応じて、両ダイヤル（Ｄ１、Ｄ２）の調整対象を容易に入れ替えることができる。
【０１０２】
（２．９）アーム、プラグ及びワイヤー
アーム１１は、図１に示すように、筐体４の軸方向と直交する軸Ｌ２を回転軸として筐体４を回転可能に支持する。アーム１１は、例えばアルミダイカストによって形成されている。アーム１１は、細長い板状の一対の支持部と、一対の支持部の一端部同士を連結する角筒状の連結部１１１と、を有している。言い換えると、アーム１１は、全体として、略Ｕ字形状に形成されている。ここでは、一対の支持部のうちの一方（図１では左方）の支持部を「支持部１１０Ａ」と呼び、他方（図１では右方）の支持部を「支持部１１０Ｂ」と呼ぶ。
【０１０３】
支持部１１０Ａ，１１０Ｂの各々は、その先端部分（図１の下端部分）において、互いに近づく方向に突出した突起を有している。これらの突起は、対応する取付部４３の貫通孔４３０内に回転可能に収容されている。連結部１１１及び支持部１１０Ａは、それらの内部において、プラグ１４に接続されている電線１５（図１参照）が通るための細長い導通孔を有している。電線１５は、連結部１１１及び支持部１１０Ａの導通孔を通って、取付部４３の貫通孔４３０から電源収容部４１２の内部に引き込まれ、点灯装置３の入力フィルタ回路３０の入力端と電気的に接続されている。
【０１０４】
一方、支持部１１０Ｂは、図２及び図９に示すように、その先端部分（図２の下端部分）につまみねじ１１２を有している。つまみねじ１１２は、段付きねじであり、ねじ先が対応する取付部４３の貫通孔４３０を通り、更に電源収容部４１２の内部にあるナットにねじ込まれている。
【０１０５】
アーム１１は、上述のような構成を有していることで、アーム１１に対して筐体４を回転させることで、例えば鉛直方向に対する光源２の照射方向（光軸Ｌ１の方向）の角度を任意に変更することができる。
【０１０６】
ところで、図９は、照明器具１の運搬時又は保管時における状態の平面図を示している。すなわち、筐体４の中心軸Ａ１がアーム１１の支持部１１０Ａ，１１０Ｂの長手方向に沿うように筐体４をアーム１１に対して回転させることで、照明器具１の全体をコンパクトすることができる。言い換えれば、照明器具１をこのような状態へ変形できるように、筐体４、第１ダイヤルＤ１、第２受け金具Ｅ２及び第２ダイヤルＤ２の外径は、支持部１１０Ａ，１１０Ｂ間の左右方向における距離よりも小さく設定されている。また、第２ダイヤルＤ２が連結部１１１と接触しないように、支持部１１０Ａ，１１０Ｂの長手方向における寸法、及び軸Ｌ２から第２ダイヤルＤ２までの寸法が設定されている。
【０１０７】
プラグ１４は、図１に示すように、アーム１１の連結部１１１の上端面における左右方向の中央に取り付けられている。プラグ１４は、その上端において、外部に露出する一対の端子１４０を有している。プラグ１４が配線ダクト１３に取り付けられることで、端子１４０が交流電源ＡＣ１と電気的に接続されて、更に、点灯装置３が、プラグ１４及び電線１５を介して交流電源ＡＣ１と電気的に接続される。
【０１０８】
落下防止用のワイヤー１２は、その一端に、例えば圧着端子を有している。ワイヤー１２は、圧着端子を介してアーム１１の連結部１１１にねじ止めされている。また、ワイヤー１２の他端には、ループ加工が施されていて、留め具のフックが引っ掛けられている。ワイヤー１２は、留め具を介して、配線ダクト１３に固定される。
【０１０９】
（３）調光作業及び調色作業
以下、光源２の調光作業及び調色作業について、図２を参照しながら簡単に説明する。以下の説明では、配線ダクト１３に取り付けられた状態にある照明器具１の筐体４が、予めアーム１１に対して回転した状態、すなわち筐体４の軸方向が鉛直方向に対して傾斜していることを想定する。
【０１１０】
ここでは作業を行う前まで、第１ダイヤルＤ１の指示線Ｄ１２及び第２ダイヤルＤ２の指示線Ｄ２５がいずれも「ＯＦＦ」の位置にあり、光源２は消灯しているものとする。
【０１１１】
まず作業者が、光源２の光量を調整（調光）する場合について説明する。作業者は、照明器具１を下から見上げながら、「ＯＦＦ」の位置にある第１ダイヤルＤ１の指示線Ｄ１２を確認する。作業者は、図２に示すように、第１ダイヤルＤ１の外周面Ｄ１１に、例えば人差し指の腹を当てて、第１ダイヤルＤ１が筐体４に対して時計回りに回転するように指を下方へ移動させる。指示線Ｄ１２が調光レベルの下限値である５［％］の目安値を示す、最初の目盛線に到達すると、光源２が光照射を開始する。そこから更に第１ダイヤルＤ１を指の腹で回転させると、光源２の明るさが徐々に増加する。
【０１１２】
例えば、この照明器具１の調光レベルを５０［％］に設定する場合には、作業者は、数値「５」の記されている目盛線に指示線Ｄ１２を合わせればよい。また、照明器具１の調光レベルを１００［％］（全点灯）に設定する場合には、数値「１０」の記されている目盛線に指示線Ｄ１２を合わせればよい。ただし、指示線Ｄ１２が数値「１０」の記されている目盛線に到達すると、第１ダイヤルＤ１の突起片Ｄ１０がストッパー１０５に接触するため、それ以上第１ダイヤルＤ１が時計回りに回転出来ないように規制される。なお、調光レベルが１００［％］（全点灯）のとき、色温度は、上限値の６５００Ｋよりもやや低い６２００Ｋとなるように設定されている。
【０１１３】
続いて、例えば照明器具１の調光レベルが５０［％］に設定されている状態で、作業者が、光源２の光色を調整（調色）する場合について説明する。作業者は、「ＯＦＦ」の位置にある第２ダイヤルＤ２の指示線Ｄ２５を確認する。作業者は、第２ダイヤルＤ２の外周面Ｄ２４に、例えば人差し指の腹を当てて、第２ダイヤルＤ２が筐体４に対して時計回りに回転するように指を下方へ移動させる。指示線Ｄ２５が色温度レベルの下限値である「１」の目安値を示す、最初の目盛線に到達すると、色温度レベル「１」での調色が開始される。なお、調色作業前の時点で、もし光源２が消灯中であれば、第２ダイヤルＤ２の指示線Ｄ２５が、「ＯＦＦ」の位置から最初の目盛線に到達することで、光源２が光照射を開始する。
【０１１４】
そこから更に第２ダイヤルＤ２を指の腹で回転させると、光源２の色温度が徐々に増加する。ただし、指示線Ｄ２５が数値「１０」の記されている目盛線に到達すると、第２ダイヤルＤ２の突起片Ｄ２２がストッパー２０４に接触するため、それ以上第２ダイヤルＤ２が時計回りに回転出来ないように規制される。なお、色温度が上限値の６５００Ｋに調整されると、調光レベルは約７５［％］となるように設定されている。
【０１１５】
なお、作業者が、第１ダイヤルＤ１及び第２ダイヤルＤ２の両方を「ＯＦＦ」にすることで、照明器具１は消灯する。
【０１１６】
このように本実施形態の照明器具１は、光色の調整に関する操作を受け付けるダイヤル（第２ダイヤルＤ２）を備えている。したがって、特許文献１のように照明器具及びコントローラ間の距離が離れた状況になり得ることが抑制される。また、第２ダイヤルＤ２が筐体４と同じ外径を有した円筒形状に形成されていて、かつ、筐体４の中心軸Ａ１に一致する中心軸を有しているので、筐体４に対してダイヤルが目立ち難い。そのため、外観上の見栄え（美観）が損なわれることを抑制できる。
【０１１７】
したがって、外観上の見栄えが損なわれることを抑制しつつ、光色の調整作業に関する作業性の向上を図ることができる。特に、例えば美術館、博物館等の照明空間内に照明器具１が設置される場合に、作業者は、照明器具１が照らす対象（絵画等）への照射光を間近で視認しながら、照明器具１の光色を調整することができる。
【０１１８】
（４）変形例
上記実施形態は、本開示の様々な実施形態の一つに過ぎない。上記実施形態は、本開示の目的を達成できれば、設計等に応じて種々の変更が可能である。以下に、いくつかの変形例について列記する。以下では上述した実施形態を「基本例」と呼ぶ。以下に説明する変形例も、上述した基本例と適宜組み合わせて適用可能である。
【０１１９】
基本例では、第１ボリュームＶ１及び第２ボリュームＶ２は、いずれもロータリーボリュームである。しかし、この限りではなく、第１ボリュームＶ１及び第２ボリュームＶ２の少なくとも一方は、スライドボリュームでもよい。あるいは、第１ボリュームＶ１及び第２ボリュームＶ２の少なくとも一方は、ボリューム（可変抵抗器）ではなく、スイッチ（例えばロータリースイッチ）と置き換えられてもよいし、ダイヤルの角度を検出する角度センサと置き換えられてもよい。例えば、第１ボリュームＶ１が角度センサと置き換えられる場合、内歯車Ｇ１及び外歯車Ｇ２は、省略されてもよい。
【０１２０】
基本例では、スイッチＳＷ１が設けられているが、スイッチＳＷ１は適宜に省略されてもよい。
【０１２１】
基本例では、スイッチＳＷ１がオフのとき、第１ダイヤルＤ１の調整対象が光量で、第２ダイヤルＤ２の調整対象が光色である。そして、スイッチＳＷ１がオンになると、入れ替わって第１ダイヤルＤ１の調整対象が光色に、第２ダイヤルＤ２の調整対象が光量になる。しかし、この限りではなく、スイッチＳＷ１がオフにとき、第１ダイヤルＤ１の調整対象が光色で、第２ダイヤルＤ２の調整対象が光量でもよい。そして、スイッチＳＷ１がオンになると、入れ替わって第１ダイヤルＤ１の調整対象が光量に、第２ダイヤルＤ２の調整対象が光色になってもよい。
【０１２２】
基本例では、目盛り５が筐体４に設けられている。しかし、目盛り５は、目盛り６と同様に、第２受け金具Ｅ２に設けられてもよい。
【０１２３】
基本例では、第１ダイヤルＤ１のガイド片Ｄ１３、及び第２ダイヤルＤ２の係合爪Ｄ２３の数は、それぞれ４つであるが、この限りではない。これらの数は、１つ、２つ、３つ又は５つ以上であってもよい。ガイド片Ｄ１３の数が１つの場合、その１つのガイド片Ｄ１３が第１ダイヤルＤ１の周縁の全周にわたって形成されていてもよい。同様に、係合爪Ｄ２３の数が１つの場合、その１つの係合爪Ｄ２３が第２ダイヤルＤ２の周縁の全周にわたって形成されていてもよい。
【０１２４】
基本例では、照明器具１は、調光と調色とに関する操作をそれぞれ受け付ける２つのダイヤル（Ｄ１及びＤ２）を備えている。しかし、照明器具１は、第１ダイヤルＤ１が省略されて、調色に関する操作を受け付ける第２ダイヤルＤ２のみを備えてもよい。この場合、第２受け金具Ｅ２及び第１ボリュームＶ１等も省略されてもよい。筐体４の内周面に、第２ダイヤルＤ２の係合爪Ｄ２３が係合する溝が設けられてもよい。第２ダイヤルＤ２の延長部Ｄ２１は、適宜の長さに短く規定されてもよい。また調光用のボリュームに対する操作を受け付ける操作部（摘み）が、筐体４の周面に別途設けられてもよい。
【０１２５】
（５）まとめ
以上説明したように、第１の態様に係る照明器具（１）は、光源（２）と、筐体（４）と、第１ダイヤル（Ｄ１）と、第２ダイヤル（Ｄ２）と、制御部（３４）と、を備える。筐体（４）は、少なくとも光源（２）を収容する円筒形状である。第１ダイヤル（Ｄ１）は、光源（２）の光量の調整及び光色の調整のうちの一方に関する操作を受け付ける。第２ダイヤル（Ｄ２）は、光量の調整及び光色の調整のうちの他方に関する操作を受け付ける。制御部（３４）は、第１ダイヤル（Ｄ１）及び第２ダイヤル（Ｄ２）の操作位置に応じて、光源（２）の光量及び光色に関する制御を行う。筐体（４）は、その中心軸（Ａ１）の方向における第１端に、光源（２）から発せられる光の出射口（４１０）を有する。第１ダイヤル（Ｄ１）及び第２ダイヤル（Ｄ２）は、筐体（４）の第１端とは反対側の第２端において、筐体（４）の中心軸（Ａ１）に沿って並ぶ。第１ダイヤル（Ｄ１）及び第２ダイヤル（Ｄ２）の各々は、筐体（４）と同じ外径を有した円筒形状に形成されていて、かつ、筐体（４）の中心軸（Ａ１）に一致する中心軸を有する。第１の態様によれば、照明器具（１）が光色の調整に関する操作を受け付けるダイヤル（Ｄ１又はＤ２）を備えているため、外観上の見栄えが損なわれることを抑制しつつ、光色の調整作業に関する作業性の向上を図ることができる。
【０１２６】
第２の態様に係る照明器具（１）は、第１の態様において、第２ダイヤル（Ｄ２）から回転力が伝達されるボリューム（第２ボリュームＶ２）を更に備えることが好ましい。第２ダイヤル（Ｄ２）の中心軸は、ボリューム（第２ボリュームＶ２）と同軸上に配置されることが好ましい。第２の態様によれば、例えば、第２ダイヤル（Ｄ２）の中心軸がボリューム（第２ボリュームＶ２）の軸からずれて配置される場合に比べて、構成の簡素化を図ることができる。
【０１２７】
第３の態様に係る照明器具（１）は、第１又は第２の態様において、第１ダイヤル（Ｄ１）から回転力が伝達される調整ボリューム（第１ボリュームＶ１）を更に備えることが好ましい。第１ダイヤル（Ｄ１）の中心軸は、調整ボリューム（第１ボリュームＶ１）の軸からずれて配置されることが好ましい。第１ダイヤル（Ｄ１）は、その内周面に内歯車（Ｇ１）を有し、内歯車（Ｇ１）と噛み合う外歯車（Ｇ２）を通じて、回転力を調整ボリューム（第１ボリュームＶ１）に伝達することが好ましい。第３の態様によれば、調整ボリューム（第１ボリュームＶ１）の位置について設計の自由度を高めることができる。
【０１２８】
第４の態様に係る照明器具（１）は、第１〜第３の態様のいずれか１つにおいて、外部からの操作を受け付けるスイッチ（ＳＷ１）と、制御回路（制御部３４）と、を更に備えることが好ましい。制御回路は、スイッチ（ＳＷ１）の状態を監視し、当該状態に応じて、第１ダイヤル（Ｄ１）及び第２ダイヤル（Ｄ２）の各々の調整の対象が、光量から光色へ、又は光色から光量へ互いに入れ替わるように制御することが好ましい。第４の態様によれば、照明器具（１）の設置環境又はユーザの要望等に応じて、両ダイヤル（Ｄ１、Ｄ２）の調整対象を容易に入れ替えることができる。
【０１２９】
第５の態様に係る照明器具（１）は、第１〜第４の態様のいずれか１つにおいて、第１ボリューム（Ｖ１）と、第２ボリューム（Ｖ２）と、第１受け金具（Ｅ１）と、第２受け金具（Ｅ２）と、ボリューム基板（１００）と、を更に備えることが好ましい。第１ボリューム（Ｖ１）には、第１ダイヤル（Ｄ１）から回転力が伝達される。第２ボリューム（Ｖ２）には、第２ダイヤル（Ｄ２）から回転力が伝達される。第１受け金具（Ｅ１）は、第１ダイヤル（Ｄ１）を支持する。第２受け金具（Ｅ２）は、第２ダイヤル（Ｄ２）を支持する。ボリューム基板（１００）には、第１ボリューム（Ｖ１）及び第２ボリューム（Ｖ２）が実装される。筐体（４）の第２端において、ボリューム基板（１００）、第１受け金具（Ｅ１）、第１ダイヤル（Ｄ１）、第２受け金具（Ｅ２）、及び第２ダイヤル（Ｄ２）の順に、これらが配置されている。第５の態様によれば、外観上の見栄えが損なわれることを更に抑制しつつ、光色の調整作業に関する作業性の向上を図ることができる。
【０１３０】
第６の態様に係る照明器具（１）は、光源（２）と、筐体（４）と、ダイヤル（第２ダイヤルＤ２）と、制御部（３４）と、を備える。筐体（４）は、少なくとも光源（２）を収容する円筒形状である。ダイヤル（第２ダイヤルＤ２）は、光源（２）の光色の調整に関する操作を受け付ける。制御部（３４）は、ダイヤル（第２ダイヤルＤ２）の操作位置に応じて、光源（２）の光色に関する制御を行う。筐体（４）は、その中心軸（Ａ１）の方向における第１端に、光源（２）から発せられる光の出射口（４１０）を有する。ダイヤル（第２ダイヤルＤ２）は、筐体（４）の第１端とは反対側の第２端において、筐体（４）の中心軸（Ａ１）に沿って並ぶ。ダイヤル（第２ダイヤルＤ２）は、筐体（４）と同じ外径を有した円筒形状に形成されていて、かつ、筐体（４）の中心軸（Ａ１）に一致する中心軸を有する。第６の態様によれば、外観上の見栄えが損なわれることを抑制しつつ、光色の調整作業に関する作業性の向上を図ることができる。
【０１３１】
第２〜５の態様に係る構成については、照明器具（１）に必須の構成ではなく、適宜省略可能である。
【符号の説明】
【０１３２】
１  照明器具
２  光源
３４  制御部（制御回路）
４  筐体
４１０  出射口
Ｖ１  第１ボリューム（調整ボリューム）
Ｖ２  第２ボリューム（ボリューム）
１００  ボリューム基板
Ａ１  中心軸
Ｄ１  第１ダイヤル
Ｄ２  第２ダイヤル
Ｅ１  第１受け金具
Ｅ２  第２受け金具
Ｇ１  内歯車
Ｇ２  外歯車
ＳＷ１  スイッチ
【図１】
2020053309.tif 000003
【図２】
2020053309.tif 000004
【図３】
2020053309.tif 000005
【図４】
2020053309.tif 000006
【図５】
2020053309.tif 000007
【図６】
2020053309.tif 000008
【図７】
2020053309.tif 000009
【図８】
2020053309.tif 000010
【図９】
2020053309.tif 000011